(57)【特許請求の範囲】
【請求項１】
アッパーと中底を備え、該中底下面に接地底を接合してなる履物を製造する方法において、予め踏まず部に相当する箇所を土踏まずに相応するよう上方に湾曲成形させた中底を用意し、中底にアッパーを吊込み、さらにこの下面に加硫されていない状態のゴムからなる接地底を当接させると共に、上記中底の湾曲面に沿うように一体的に接合させたことを特徴とする履物の製造方法。
【請求項２】
踏まず部形状に湾曲成形させた成形片を、底面の踏まず部相当個所に接合させた中底を用いることを特徴とする請求項１記載の履物の製造方法。
【請求項３】
上面に布が接合された中底を用いることを特徴とする請求項１又は２記載の履物の製造方法。
【発明の詳細な説明】
【０００１】
【発明の属する技術分野】
本発明は、地下たび、作業靴又は長靴をはじめとする履物の製造方法に関するものである。
【０００２】
【従来の技術】
地下たびや作業靴等の接地底を有する各種履物は、特に軽快な作業性が要求されるため、比較的柔軟で薄い底が取付けられている。そしてこの軽快性を満足するよう、地下たびの一部には足のフィット感を高めるため、ゴム底の踏まず部を土踏まずに合わせたアーチ状に上方湾曲させることが行われている。これにより、踏まず部が足の土踏まずに密着して接地感覚に優れ、かつ足にフィットする地下たびを得ることができる。
【０００３】
上記の場合においてゴム底の踏まず部を上方に湾曲成形するには、加硫成形して賦形する必要があるが、このように加硫成形後のゴム底を中底に取付ける場合、接着が難しいため、周縁部を縫製して取付けることが行われている。
ところが上記のように、ゴム底周縁部を縫製により取付けるときは、接着による場合に比べて手数を要するだけでなく、縫製が確実に行われないとゴム底の周辺に隙間が生じたり、又縫目から水の浸入が懸念されることがあった。
【０００４】
一方、未加硫状態のゴム底を中底に接着した上で加硫成形すると、強固に固着でき、しかも縫目がないため水の浸入の恐れがなくなるが、加硫成形と同時的に接着する場合、単純な加硫成形では踏まず部をアーチ状に上方湾曲させることができなかった。又踏まず部を適宜の型で押圧しながら加硫成形するとしても、踏まず部は土踏まずに相応する長さ方向及び幅方向の二次元的なアーチ形状に成形する必要があるため、変形を起こして所定形状に成形し得ない恨みがあった。
【０００５】
この課題を解決するため、本出願人は先に上方に湾曲成形させた踏まず部と、これを囲むように形成された未加硫状態の周縁部とを、前者の外縁と後者の内縁とを接合してゴム底を構成し、これを加硫成形して中底等に取付けることにより上記目的を達成した地下たびについて提案している。（特開平８ー７０９０１号公報参照）
【０００６】
【発明が解決しようとする課題】
上記提案によれば、踏まず部が上方に湾曲成形されたものでありながら、未加硫状態から加硫成形することにより周縁部までも一体的に取付けることができ、しかも水の浸入を防ぐことができる特徴があるが、踏まず部と周縁部とを結合させる必要があり、しかもゴム底の接合部が露出してしまう難点があった。
このため本発明では、踏まず部上方の湾曲形状を土踏まずに相応しかつその形状を維持しつつしかも踏まず部が所定位置に設けられ、なおかつ接合部を露出させることなく接地底が一体的に接合された外観の優れた履物を提供しようとするものである。
【０００７】
上記の課題については、地下たびだけに限られることではなく、他の履物例えば作業靴や長靴等の履物についても、同様にいえることであって、所定位置に足の土踏まずに沿うよう上方に湾曲した踏まず部を設けることにより、履いたときのフィット感及び接地感覚が優れたものとなり、履物としての優位性を発揮することとなる。
【０００８】
【課題を解決するための手段】
本発明はこのような状況に鑑みてなされたもので、その要旨とするところは、アッパーと中底を備え、該中底下面に接地底を接合してなる履物を製造する方法において、予め踏まず部に相当する箇所を土踏まずに相応するよう上方に湾曲成形させた中底を用意し、中底にアッパーを吊込み、さらにこの下面に加硫されていない状態のゴムからなる接地底を当接させると共に、上記中底の湾曲面に沿うように一体的に接合させたことを特徴とする履物の製造方法を特徴とするものである。
なお本発明に用いる接地底は、加硫されていない状態のゴムを使用するが、これは未加硫状態のゴムのことを指している。
【０００９】
【発明の実施の形態】
以下、本発明の実施の形態を図面に基づいて説明するが、図１ないし図５は本発明を地下たびに適用した例を示している。
これらの図において、１は地下たびのアッパーであり、通常綿布からなる胛布１Ａを中底２に吊込んで一体化して構成されている。３は接地底で、ゴムで形成されており、上記アッパー１の底部即ち中底２の下面に、取付けられている。又１Ｂは爪先部及び踵部の補強布である。
【００１０】
本発明は、このような地下たびにおいて、先ず図３に示すように踏まず部２Ｂに相当する箇所を長さ方向及び幅方向にアーチ状に上方湾曲成形させた中底２を予め用意する。この箇所２Ｂは、足の土踏まずに相応する部分を指しているが、これより前方が踏み付け部及び爪先を含む前方部２Ａ、逆に後方は略踵に相当する後方部２Ｃで、これらが相互に連続的に構成されている。
【００１１】
この中底２は、図４に示すように踏まず部２Ｂがアーチ状に上方湾曲されているが、この例の場合、発泡、非発泡のゴム又は合成樹脂或いは布、不織布等からなる主材２’の踏まず部２Ｂ底面に、予め踏まず部２Ｂ形状に成形された成形片２Ｄを接合して用いている。このようにして得た中底２は、成形片２Ｄの接合により踏まず部２Ｂが所定のアーチ形状に賦形されているばかりでなく、成形片２Ｄが中底２の裏側に位置し、地下たびとしたときに外部に現れることがなく好都合である。
この例における中底２は、主材２’として発泡合成樹脂や布地等の比較的柔軟な材料を用いたとき、成形片２Ｄによる賦形がしやすく、特に適している。なおこの成形片２Ｄとしては、ゴム又は合成樹脂材料を成形して用いることができる。
【００１２】
上記のようにして得られた中底２とアッパー１を、定法に従い型（図示は省略したが、この型の底面の踏まず部には湾曲状の凹みを設けたものを用いる）に装着し、アッパー１下方周縁を中底２周縁に吊込み接着して一体化する。
以上の状態に到ったら、上記中底２下面（作業時はこの面を上にすることが多いが）に、所定形状の加硫されていない状態即ち未加硫状態のゴムからなる接地底３を、接着剤を使用して接合し、これを加硫成形して一体化することにより、図２に示すような本発明の地下たびを製作することができる。なお、接地底２の下面には、適宜の凹凸による踏面模様が形成される。
【００１３】
本発明によって得られた地下たびは、図２に示す通り、接地底３は一枚構成であり、加硫されていない状態のゴムを加硫成形して中底２ないしアッパー１の下端周縁に一体的に取付けられているため、接合箇所が何等外部に露出することがなく、しかも接地底３と中底２及び成形片２Ｄとが加硫成形により強固に接合できしたがって水の浸入の虞はなく、勿論踏まず部２Ｂは土踏まずに相応するアーチ形状で所定位置に正確に上方湾曲させることができるので、足にフィットする軽快性の良い製品とすることができる。勿論、本発明の中底２も前方部２Ａ、踏まず部２Ｂ及び後方部２Ｃが一枚で構成されているため、従来の中底を使用すると同様に吊込み、そして地底３の接合作業を行うことができ、しかも出来上がった製品の外観はもちろん履用時に違和感を与えたりすることながない。
【００１４】
特にこの例の地下たびのように、比較的接地底３が薄く構成されている場合、中底２及び接地底３を共にアーチ状に上方湾曲させることができるため、踏まず部２Ｂに適度の弾力性が付与され、履用した際足裏の重力を受けて若干変形して密着しフィット感を高めることができる。これは利用者の土踏まずの形が仮に偏平であったとしても、弾力によりその形状によく追従してフィット感を与えることができる特徴を有している。このように中底２及び接地底３の踏まず部が弾力により変形し得ることは、その範囲内で足のウイズの大小を吸収して調節する機能を備えていることになり、有利である。
なお本発明の接地底３を中底２下面に接合する際、両者の接着性を確実にするため、適切な接着剤を使用することも有効である。
【００１５】
図５の例は、中底２の別の例を示すもので、上記例のように別体の成形片２Ｄを用いることなく、中底２の主材２’とこの上面に布２Ｅとを重ね、これを適宜の成形方法により、踏まず部２Ｂが上記と同様のアーチ状になるよう一体的に成形させたものである。この例のように、主材２’の上面に布２Ｄを接合して成形すると、中底２の強度を向上することができると共に、布２Ｅが履物内側に位置することとなり、別の中敷等を用いなくても使用することができることとなる。なおこの場合の布２Ｅとして、伸び易い材質或は組織の織物や編物からなる布を用いると、踏まず部２Ｂの湾曲成形の際に賦形が容易で所定形状に成形し易くなり有利である。特に主材２’としてゴムを用いた場合には、布に比べてゴムの成形収縮が大きいため、踏まず部２Ｂの湾曲形状が保持されることになり好ましい。
【００１６】
図６及び図７は、本発明を長靴に適用した実施例を示すものである。図において１はアッパー、３は接地底であるが、長靴の場合のアッパー１は、胴部から胛部にかけて一体的に成形されたゴム生地１Ｃと、この内面に設けられたメリヤス等からなる内布１Ｄとからなっている。本発明の長靴を製造する場合、図６と相似形で天地を逆にした型(図示略、但しこの型の底面踏まず部は湾曲状の凹みが設けられているものを用いる。)に内布１Ｄを被せる。
【００１７】
本発明では、上記の状態で中底２を底面に接着させるが、この中底２は、上記図３と同様にして用意したものを用いる。（但し、爪先部の股は設けていない。）
即ち、踏まず部２Ｂに相当する箇所を上方に湾曲成形させた中底２で、この箇所２Ｂは、足の土踏まずに相応する部分を指しているが、これより前方が踏み付け部及び爪先を含む前方部２Ａ、逆に後方は略踵に相当する後方部２Ｃで、これらが相互に連続的に構成されている。なお長靴に使用する中底２の構成としては、図４又は図５いずれも使用しうるが、中底２の主材２’としてゴムを使用する場合には、図５に示すものが特に適している。
【００１８】
内布１Ｄを被せた状態の型の底面は、踏まず部２Ｂの上面も張力のため内布１Ｄも平面状となっているが、この状態で中底２を当接させ、引き続き胴部及び胛部にゴム生地１Ｃを接着させて被せて吊込みを行なう。このようにして吊込みを行なうと、内布１Ｄはメリヤス等の伸縮性の生地でできているので、踏まず部２Ｂの湾曲により押し込まれて型の凹みに沿うようになる。
【００１９】
この上から加硫されていない状態のゴムからなる中芯１Ｅを接着して吊込みによる段差をなくし、さらに同様のゴムからなる接地底３を接着剤を介して接合し、所定の方法により加硫成形すると、図７のような接地底３が一体に接合され、かつ踏まず部が長さ方向及び幅方向のアーチ状に上方湾曲し、接地底３と中底２が強固に一体化され、しかも接合箇所が外部に露出することのない優れた長靴が得られることとなる。
【００２０】
図８及び図９は、本発明を作業靴に適用した例を示すものである。図において１はアッパー、３は接地底であるが、この場合のアッパー１は通常布、合成皮革或いは天然皮革の靴生地１Ｆを縫製することによって構成され、この底面にゴムからなる接地底３が接合されている。
この実施例の作業靴を製造する場合、上記の例と同様に踏まず部に凹みを有する型を挿入し、天地を逆にした状態で吊込み作業を行なう。
【００２１】
この例の場合も、上記図３の要領で成形され、踏まず部２Ｂに相当する箇所をアーチ状に上方に湾曲成形させた中底２（但し、爪先部の股は設けていない。）を使用する。そしてこの中底２にアッパー１を吊込み、この上に加硫されていない状態の接地底３を接着剤を介して接合し、所定の方法により加硫成形を行なうことにより、図９に示すような作業靴を得ることができる。
このようにして得られた作業靴は、上記実施例と同様に踏まず部２Ｂが長さ方向及び幅方向のアーチ状に上方湾曲され、かつ接地底３と中底２とが強固に一体化され、しかも接合箇所が外部に露出することのない優れた作業靴が得られることになる。
【００２２】
図１０は、本発明に使用する中底２の別の例を示すもので、踏まず部２Ｂの幅が比較的狭い履物に用いるのに適しており、踏まず部２Ｂの内側部分を一部立上げて立上り部２Ｆを形成したものである。
このように構成された中底２も上記と同様にしてアッパー１を吊込んでその面に接地底３を当接させるが、この場合の接地底３には上記立上り部２Ｆに相当する部分を延出させたものを用い、立上り部２Ｆを包み込むようにして接合し、加硫成形して一体化させることができる。このようして得られた履物は、上記の例と同様にフィット感、接地感覚が優れたものであると共に、踏まず部内側部分が接地底の立上りによって補強された優れたものとなる。
【００２３】
以上本発明を地下たび、長靴及び作業靴に適用した実施例について説明したが、本発明はこの例だけに限定されるものではなく、股のない地下たび、運動靴、室内履き等各種の履物にも適用できるものである。
これらの履物に適用する場合も、上記の説明と同様に構成されるものであるが、例えば得られた履物の構造は、略図２、図７或いは図９の断面と同様となるものであり、図３或いは図１０のように構成された（但し爪先部の股はない）中底２に、必要に応じて中芯１Ｅを接着した上で接地底３を接合し、これを一体化することができるものである。
なお本発明において必要に応じて使用される中芯１Ｅは、加硫されていない状態のゴムや加硫成形したゴム等適宜使用し得る。
【００２４】
【発明の効果】
本発明は以上詳述した如き構成からなるものであり、踏まず部をアーチ状に上方湾曲させた中底を使用し、これに接地底を接合して一体化したものであるから、アーチ状に上方湾曲した所定形状の踏まず部を所定位置に正確に備えたものであり、足の土踏まずに密着してフィットし、接地感覚に優れた製品とすることができると共に、これにより水の浸入を防止し、しかも外部に接合箇所が露出することのない優れた履物を提供することができ、又特別な方法、装置を用いることなく、このような履物を効率よく確実に製造することができる利点がある。
【図面の簡単な説明】
【図１】  本発明を地下たびに適用した実施例を示す斜視図である。
【図２】  図１の部分的な縦断面図である。
【図３】  本発明に使用する中底を示す斜視図である。
【図４】本発明に用いる中底の断面図である。
【図５】  中底の別の例を示す図４相当の断面図である。
【図６】  本発明を長靴に適用した実施例を示す斜視図である。
【図７】  図６の部分的な拡大縦断面図である。
【図８】  本発明を作業靴に適用した実施例を示す斜視図である。
【図９】図９の部分的な断面図である。
【図１０】  本発明に使用する中底の別の例を示す斜視図である。
【符号の説明】
１               アッパー
２               中底
２Ａ             前方部
２Ｂ             踏まず部
２Ｃ             後方部
３               接地底
【図１】
0004660801.tif 000002
【図２】
0004660801.tif 000003
【図３】
0004660801.tif 000004
【図４】
0004660801.tif 000005
【図５】
0004660801.tif 000006
【図６】
0004660801.tif 000007
【図７】
0004660801.tif 000008
【図８】
0004660801.tif 000009
【図９】
0004660801.tif 000010
【図１０】
0004660801.tif 000011